(57)【特許請求の範囲】
【請求項１】
収納部を有する容器本体と、
該容器本体の後端部に蝶番を介して開閉自在に設けられた外蓋と、
該外蓋で上記容器本体を閉止するためにこれら両者の前端部に設けられたフック手段と、
上記容器本体の収納部に設けられ、上記蝶番を介して上記外蓋とともに該容器本体の後端部に開閉自在に取り付けられて、その下に化粧具収納部を形成する枠体と、
該枠体に着脱自在に収納される気密レフィル容器とを備え、
該気密レフィル容器は、化粧料の収容部を有する器体と、該収容部内方を気密に閉止する内蓋と、該器体の内蓋支持部および該内蓋支持部に着脱可能であって、該収容部への化粧料の充填作業時には該内蓋支持部から外される支持部からなり、当該支持部が該内蓋支持部に取り付けられて該器体に該内蓋を開閉自在に取り付けるヒンジとを有し、
上記容器本体および上記枠体と上記外蓋とで形成される一方の側壁の上記フック手段と上記蝶番との略中央の位置に、上記気密レフィル容器の上記ヒンジを挿着して上記内蓋を該容器本体の左右方向外側へ移動可能にするための開口部を形成したことを特徴とする気密化粧料容器。
【発明の詳細な説明】
【０００１】
【発明の属する技術分野】
本発明は、容器本体に化粧料を収容するレフィル容器を着脱自在に設け、該レフィル容器に内方を気密状態に保つ内蓋を設けた気密化粧料容器に関する。
【０００２】
【従来の技術】
この種の気密化粧料容器としては、例えば特開平１０−１９２０４４号公報に開示されるものが従来存在する。この気密化粧料容器は容器本体および内面にミラーを有する外蓋の後端部が蝶番で開閉可能に枢着され、前端側にはフック手段が設けられている。
【０００３】
容器本体内は、略中央で仕切壁によって前後２つに仕切られ、後側にはパフ等の化粧具収納部が設けられ、前側には化粧料を収容する皿体が嵌着された化粧料収納部が設けられている。
これら２つの収納部を仕切る仕切壁の略中央には、後方と上方に向かって開放された凹部内に左右方向に蝶番ピンが設けられ、この蝶番ピンには、化粧料収納部を密閉して気密に保持する内蓋が回動自在に取り付けられている。
即ち、蝶番ピンは、化粧料収納部の後方に左右に指向して設けられ、この蝶番ピンに取り付けられている内蓋は、前後方向に回転して開閉される。
従って、この気密化粧料容器は、使用時に、外蓋を後方に開放し、次に内蓋を後方に開放して化粧料を露出させ使用する。
【０００４】
【発明が解決しようとする課題】
しかしながら、かかる従来の気密化粧料容器にあっては、内蓋が化粧料収納部の後側で支持されて後方に開くため、ミラーを有する外蓋と重なり、ミラーの使用可能範囲を狭くすると共に、内蓋の開放角度が小さく制限されるため、化粧動作の邪魔になるという問題がある。
【０００５】
また、気密化粧料容器に収納される化粧料は揮発性が高いため、製造工程でも化粧料充填直後に容器を密閉することが望ましいが、従来の化粧料容器では、化粧料収納部を閉止する内蓋と化粧料を充填する皿体とが別体であり、この両者をさらに別体である容器本体に取り付けるので、化粧料を皿体に充填し直後に皿体を容器本体に組み込み、さらに内蓋を取り付けて皿体を閉じる必要があり、組立性が悪いばかりでなく化粧料を充填した皿体をストックすることができないため、生産性を高めることができず、また、化粧料を充填した皿体をストックするためには、本来必要としない製造工程用の蓋を別途設ける必要があり、いずれにしても化粧料容器のコストアップを余儀なくされてしまうという課題がある。
【０００６】
そこで、本発明はかかる従来の課題に鑑みて、化粧料の収容部を広く露出すると共に、取り扱い時の操作性を向上させ、さらに製造性の向上を図って安価な気密化粧料容器を提供することを目的とする。
【０００７】
【課題を解決するための手段】
かかる目的を達成するために本発明の気密化粧料容器では、収納部を有する容器本体と、該容器本体の後端部に蝶番を介して開閉自在に設けられた外蓋と、該外蓋で上記容器本体を閉止するためにこれら両者の前端部に設けられたフック手段と、上記容器本体の収納部に設けられ、上記蝶番を介して上記外蓋とともに該容器本体の後端部に開閉自在に取り付けられて、その下に化粧具収納部を形成する枠体と、該枠体に着脱自在に収納される気密レフィル容器とを備え、該気密レフィル容器は、化粧料の収容部を有する器体と、該収容部内方を気密に閉止する内蓋と、該器体の内蓋支持部および該内蓋支持部に着脱可能であって、該収容部への化粧料の充填作業時には該内蓋支持部から外される支持部からなり、当該支持部が該内蓋支持部に取り付けられて該器体に該内蓋を開閉自在に取り付けるヒンジとを有し、上記容器本体および上記枠体と上記外蓋とで形成される一方の側壁の上記フック手段と上記蝶番との略中央の位置に、上記気密レフィル容器の上記ヒンジを挿着して上記内蓋を該容器本体の左右方向外側へ移動可能にするための開口部を形成した。
【０００８】
以上の構成により本発明の気密化粧料容器の作用を以下に述べると、気密レフィル容器のヒンジを挿着するための開口部を容器本体および枠体と外蓋とで形成される側壁に形成したので、ヒンジを気密レフィル容器の側方に位置させ上方に突出させず、気密レフィル容器の高さを低くすることができるため、気密化粧料容器全体の厚さを薄くすることができ、携帯性を向上させることができる。
【０００９】
また、ヒンジを挿着する前記開口部の位置を容器本体および枠体の側壁としたので、内蓋が横方向に開き、開放状態では内蓋が容器本体の外方に移動する。従って、内蓋を開いても後方に開く外蓋と内蓋とが重ならず、内蓋を大きく開き収容部を広く露出できるため、化粧具に化粧料をスムーズに付着させることができ、取り扱い時の操作性が向上する。
【００１０】
また、容器本体に着脱可能に収納される気密レフィル容器に化粧料を収容し、その気密レフィル容器には、化粧料の収容部を気密状態に保つ内蓋を設けたので、製造工程において、化粧料を充填した直後に内蓋を閉じて内方を気密状態に保つことができるため、化粧料の揮発を防ぐことができると共に、予め気密レフィル容器に化粧料を充填してストックすることもでき、効率よく作業できると共に、容易に大量生産することが可能である。さらに、製造工程から製品形態の内蓋を用いているので、製造工程専用の蓋を必要とせず、無駄な費用が発生せず、気密化粧料容器のコストを下げることができる。
【００１１】
【発明の実施の形態】
以下、本発明の実施形態を添付図面を参照して詳細に説明する。図１から図３に示すように、本実施形態の化粧料容器１は、外周形状が略正方形をなす容器本体１０と内面にミラー４２を有する外蓋３０と化粧料の収容部５２を有する気密レフィル容器５０とを主要部品として構成されている。この気密化粧料容器１は、気密レフィル容器５０を嵌合する枠体９４を別途設ける。
【００１２】
容器本体１０は外周壁部１０ａと底部とで収納部１２が形成され、枠体９４の周壁部の四隅近傍の前後内面には、内方に向かって嵌合突起１２ｂ，１２ｂ，１２ｂ，１２ｂが設けられている。
【００１３】
また、容器本体１０の前端側中央には、前方及び上方に向かって開放された凹部１４が設けられると共に、凹部１４の前側壁面には、前方に向かって係合突起１６が設けられ、後端側中央には後方及び上下方向に開放された凹部１８が設けられている。
【００１４】
さらに、収納部１２の左の周壁部２０および枠体９４の、後述するフック手段５と蝶番３との略中央には、上向きの切り欠き２２が設けられている。
【００１５】
外蓋３０は、上記容器本体１０の外周壁部１０ａと上下に重なり略同型状の外蓋外周壁部３０ａと、内面にミラー４２が取り付けられている天部３０ｂと、から構成されている。
【００１６】
外蓋３０の後端部には、容器本体１０の凹部１８に入り込んで蝶番３を形成する突部３２が設けられ、前端側には容記本体１０の凹部１４に入り込んで係合突起１６と共にフック手段５を構成する係合部３４が設けられている。
【００１７】
この係合部３４の後方側の面には、係合突起１６と係脱自在に係合片３６が設けられている。
【００１８】
また、外蓋３０の左の周壁部３８には、容記本体１０の左の周壁部２０の切り欠き２２と同じ位置に下向きの切り欠き４０が設けられ、容器本体１０と外蓋３０とが閉止状態で形成される左側壁には、これら切り欠き２２，４０より開口部が形成される。
【００１９】
気密レフィル容器５０は、枠体９４の周壁部と略同形状の外形をなし、化粧料の収容部５２を有する器体５０ａと、収容部５２を開閉自在に密閉して、その内方を気密状態に保持する内蓋７０と、この内蓋７０を回動自在に支持する内蓋支持部５６で構成されている。
【００２０】
器体５０ａの略中央には、化粧料を収容する円形に窪ませて形成された収容部５２が設けられ、収容部５２の外周には、その外周に沿って溝部５４が設けられ、溝部５４の外周壁５４ａには、その内方に向かって３つのフック片６２，６２，６２が、その外周壁５４ａに沿って等間隔に設けられ、そのうち１つは、前記内蓋支持部５６の反対側に設けられている。さらに、収容部５２の周縁から溝部５４の内周壁にわたって、環状のシール部材６０が取り付けられている。
【００２１】
また、器体５０ａの外周には、枠体９４の嵌合突起１２ｂ、１２ｂ、１２ｂ、１２ｂと嵌合する凹部５８，５８，５８，５８が設けられ、器体５０ａの左側の外側壁５０ｂには、内蓋７０を開閉自在に蝶着するヒンジ６４を形成する内蓋支持部５６が設けられている。この内蓋支持部５６は、内蓋７０が取り付けられるピン６６とその両端を支持する突部５９，５９とからなり、ピン６６は器体５０ａの左方に前後に指向して設けられ、その両端には器体５０ａの左側の外側壁に突設された２つの突部５９，５９にそれぞれ固定されている。
【００２２】
また、内蓋７０は、略円形平板の蓋体部７２と、これに突設された円筒状の側壁部７４と、前記ピン６６と共にヒンジ６４を形成する支持部７６とで主に構成されている。
【００２３】
蓋体部７２の下面には、内蓋７０閉止状態で器体５０ａの溝部５４に挿入される上記側壁部７４が設けられ、その内側にシール部材６０に対向させて突出され、当該シール部材６０を押圧するシール部材押圧部７８が設けられている。
【００２４】
また、蓋体部７２には、器体５０ａのピン６６に取り付けられる支持部７６が設けられ、支持部７６の反対側には、蓋体部７２から外方に延出させて取手部８０が形成されている。
【００２５】
支持部７６は、蓋体部７２の左側方に位置し、前記ピン６６より僅かに短い幅の突部でなり、その突部には幅方向に設けられ、ピン６６が入り込んで内蓋７０が回動自在に取り付けられる孔８６が設けられ、その下方には孔８６と平行に設けられ、ピン６６を孔８６にガイドする下方に広がったスリット７７と、孔８６の上方には、孔８６と平行に溝が設けられている。
【００２６】
前記側壁部７４の外周には、内蓋７０の閉止状態で前記溝部５４のフック片６２，６２，６２と係合する位置に、突片７４ａ，７４ａ，７４ａが設けられている。
【００２７】
そして、これらの部品は、以下のように組み合わされて気密化粧料容器１を形成している。
【００２８】
容器本体１０の後端の凹部１８には、外蓋３０後端の突部３２が入り込み、容器本体１０と外蓋３０とに跨って蝶番ピン８８、８８が挿入されて蝶番３が形成されている。枠体９４は、外蓋３０と共に容器本体１０の後端部に開閉自在に枢着し、前記枠体９４の下に化粧具収納部９０を設けたものである。即ち、容器本体１０の凹部１８に入り込む外蓋３０の突部３２の幅を狭くすると共に、気密レフィル容器５０を嵌合して収納する枠体９４の後端部には、前記突部３２と共に容器本体１０の凹部１８に入り込む突部９６を設け、容器本体１０と突部３２と突部９６とに跨って蝶番ピン８８を両側から挿入し、外蓋３０と枠体９４とを回動自在に取り付ける。さらに容器本体１０の収納部１２に、枠体９４の下に化粧具収納部９０を形成する。
【００２９】
容器本体１０と外蓋３０とが閉止状態にあるときには、容器本体１０の凹部１４の係合突起１６と、外蓋３０の係合片３６とが係合し、フック手段５をなし、容器本体１０と外蓋３０とを閉止状態に保持すると共に、内蓋７０を確実に閉止している。
【００３０】
また、枠体９４には、周壁部の嵌合突起１２ｂ，１２ｂ，１２ｂ，１２ｂと気密レフィル容器５０の凹部５８，５８，５８，５８とが係合されると共に、気密化粧料容器１の左側壁に切り欠き２２，４０で形成した開口部に気密レフィル容器５０のヒンジ６４が配されて、気密レフィル容器５０が嵌合されている。
【００３１】
さらに、内蓋７０の支持部７６の孔８６が器体５０ａのピン６６にはめ込まれてヒンジ６４を形成し、内蓋７０は着脱可能かつ回動自在に枢着され、内蓋７０の閉止状態では、内蓋７０下面の側壁部７４外周の突片７４ａ，７４ａ，７４ａと気密レフィル容器５０のフック片６２、６２、６２が係合し、側壁部７４の内周面が、溝部５４の内周面のシール部材６０に接すると共に、蓋体部７２下面のシール部材押圧部７８が、シール部材６０を上方から押圧して、気密レフィル容器５０の収容部５２を気密状態に保持している。
【００３２】
即ち、この気密化粧料容器１は、前端側のフック手段５を解除して、後端側蝶番３により外蓋３０を後方に回転移動して開放し、次に左側壁の開口部に配されたヒンジ６４により内蓋７０を左方向に回転して容器本体１０の外側に移動させて内蓋７０を開放し化粧料を露出させる。さらに、この気密レフィル容器５０が収納されている枠体９４を開くことによって、化粧具収納部９０が開放され化粧具９２を取り出すことが可能である。
【００３３】
以上の構成により本実施形態の気密化粧料容器１では、気密レフィル容器５０のヒンジ６４を挿着するための切り欠き２２，４０からなる開口部を容器本体１０と外蓋３０とで形成される左側壁に形成したので、ヒンジ６４を気密レフィル容器５０の側方に位置させて上方に突出させず、気密レフィル容器５０の高さを低くすることができるため、気密化粧料容器１全体の厚さを薄くすることができ、携帯性を向上させることができる。
【００３４】
また、ヒンジ６４を挿着する前記開口部の位置を気密化粧料容器１の左側壁としたので、内蓋７０が横方向に開き、開放状態では内蓋７０が容器本体１０の外方に移動するので、内蓋７０を開いても後方に開く外蓋３０と内蓋７０とが重ならず、内蓋７０を大きく開き収容部５２を広く露出できるため、化粧具９２に化粧料をスムーズに付着させることができると共に、内蓋７０が外蓋３０のミラー４２と重ならず、ミラー４２の視野を遮らないため、取り扱い時の操作性が向上する。
【００３５】
また、容器本体１０に着脱可能に収納される気密レフィル容器５０に化粧料を収容し、その気密レフィル容器５０には、化粧料の収容部５２を気密状態に保つ内蓋７０を設けたので、製造工程において、化粧料を充填した直後に内蓋７０を閉じて内方を気密状態に保つことができるため、化粧料の揮発を防ぐことができると共に、予め気密レフィル容器５０に化粧料を充填してストックすることもでき、効率よく作業できると共に、容易に大量生産することが可能である。さらに、製造工程から製品形態の内蓋７０を用いているので、製造工程専用の蓋を必要とせず、無駄な費用が発生せず、気密化粧料容器１のコストを下げることができる。
【００３６】
その上、化粧料を収容する気密レフィル容器５０の器体５０ａを密閉する内蓋７０を器体５０ａに着脱可能に取り付けたので、化粧料の充填作業時には内蓋７０を外し収容部５２を有する器体５０ａ単体で取り扱うことができるため、器体５０ａを上方向に向け安定した状態で静止させて化粧料を充填することができ、効率よく作業できると共に、流れ作業によって容易に大量生産することができる。
【００３９】
化粧具収納部９０を、化粧料収容部５２の下に設けたこの構成によれば、化粧料を使用する際、必ず必要となるパフ等の化粧具９２を収納する空間を、化粧料と同一容器の中に設けたので、この気密化粧料容器１の内部に化粧料と化粧具９２とが収納されているため、即座に化粧料を使用することができる。また、一度使用した化粧具９２には、化粧料が付着し、使用後そのままバッグ等に入れるとバッグ内を汚す虞があるため、化粧具９２を収納する専用容器が必要となる。ところが、上記のように、気密化粧料容器１に化粧具収納部９０を設けることによって、化粧具９２を気密化粧料容器１の中に一緒に収納できるため、その他に別途化粧具９２用の容器を持つ必要がなく、携帯時の荷物を少なくすることができると共に、取り出す容器が１つであるため、片手でも容易に使用することができる。
【００４４】
【発明の効果】
以上説明したように本発明の請求項１に示す化粧料容器にあっては、気密レフィル容器のヒンジを挿着するための開口部を容器本体および枠体と外蓋とで形成される側壁に形成したので、ヒンジを気密レフィル容器の側方に位置させ上方に突出させず、気密レフィル容器の高さを低くすることができるため、気密化粧料容器全体の厚さを薄くすることができ、携帯性を向上させることができる。
【００４５】
また、ヒンジを挿着する前記開口部の位置を容器本体および枠体の側壁としたので、内蓋が横方向に開き、開放状態では内蓋が容器本体の外方に移動する。従って、内蓋を開いても後方に開く外蓋と内蓋とが重ならず、内蓋を大きく開き収容部を広く露出できるため、化粧具に化粧料をスムーズに付着させることができ、取り扱い時の操作性が向上する。その上、化粧料を収容する気密レフィル容器の器体を密閉する内蓋を器体に、内蓋支持部および支持部からなるヒンジを介して着脱可能に取り付けたので、化粧料の充填作業時には内蓋を外し収容部を有する器体単体で取り扱うことができるため、器体を上方向に向け安定した状態で静止させて化粧料を充填することができ、効率よく作業できると共に、流れ作業によって容易に大量生産することができる。
【００４６】
また、容器本体に着脱可能に収納される気密レフィル容器に化粧料を収容し、その気密レフィル容器には、化粧料の収容部を気密状態に保つ内蓋を設けたので、製造工程において、化粧料を充填した直後に内蓋を閉じて内方を気密状態に保つことができるため、化粧料の揮発を防ぐことができると共に、予め気密レフィル容器に化粧料を充填してストックすることもでき、効率よく作業できると共に、容易に大量生産することが可能である。さらに、製造工程から製品形態の内蓋を用いているので、製造工程専用の蓋を必要とせず、無駄な費用が発生せず、気密化粧料容器のコストを下げることができる。
【図面の簡単な説明】
【図１】  本発明の第一実施形態の外蓋及び内蓋を開けた状態の平面図である。
【図２】  本発明の第一実施形態の前後方向に破断した場合の断面図である。
【図３】  本発明の一実施形態の外蓋及び枠体を開けた状態を示す前後方向に破断した場合の断面図である。
【符号の説明】
１  化粧料容器                  ３  蝶番
５  フック手段                １０  容器本体
１０ａ  外周壁部
１２  収納部                    ２０  左の周壁部
２２  切り欠き                  ３０  外蓋
３０ａ  外蓋外周壁部            ３０ｂ  天部
３２  突部                      ３８  左の周壁部
４０  切り欠き                  ５０  気密レフィル容器
５０ａ  器体                    ５２  収容部
５４  溝部                      ６４  ヒンジ
６６  ピン                      ７０  内蓋
７２  蓋体部                    ７４  側壁部
７６  支持部                    ９０  化粧具収納部
９２  化粧具                    ９４  枠体
【図１】
0004263279.tif 000002
【図２】
0004263279.tif 000003
【図３】
0004263279.tif 000004